(57)【要約】      （修正有）【課題】市販のアダプタ、ケーブルを使用しつつ、アダプタとケーブルとの連結を確実にする補助アダプタを提供する。【解決手段】ホットシューアダプタ２に装着される補助アダプタ３であって、補助アダプタは、ホットシューアダプタに嵌合する枠部１１と、ホットシューアダプタの雌コネクタ７が設けられた側面に密着する側片１３と、側片に設けられ、ケーブル５の雄コネクタ１５のネック部１５ａが嵌合可能なホルダ部１４ａを有する鈎部１４と、側面に形成されたコネクタ接続用孔７ａとを有し、雄コネクタと雌コネクタとを連結後、雄コネクタを回転することでネック部がホルダ部に嵌合する様構成された。【選択図】図２
2020106663.tif 000002
【特許請求の範囲】
【請求項１】
ホットシューアダプタに装着される補助アダプタであって、該補助アダプタは、前記ホットシューアダプタに嵌合する枠部と、前記ホットシューアダプタの雌コネクタが設けられた側面に密着する側片と、該側片に設けられ、ケーブルの雄コネクタのネック部が嵌合可能なホルダ部を有する鈎部と、前記側面に形成されたコネクタ接続用孔とを有し、前記雄コネクタと前記雌コネクタとを連結後、前記雄コネクタを回転することで前記ネック部が前記ホルダ部に嵌合する様構成されたホットシューアダプタの補助アダプタ。
【請求項２】
前記鈎部は、前記側片の基部下縁から水平に突出し、湾曲部を経て上方に立上がり、更に前記側片と平行に延出する形状を有し、前記鈎部の延出する部分の前記側片と対峙する面には、回り止が形成され、前記延出する部分は、前記雄コネクタが回転される際の前記ネック部の案内をし、前記回り止は前記ネック部の回転戻りを抑止する様構成された請求項１に記載のホットシューアダプタの補助アダプタ。
【請求項３】
前記鈎部はＵ字筒状であり、前記側片の基部下縁に設けられ、前記鈎部の先端部は、前記側片から離反し、前記鈎部の先端部と前記側片との間には隙間が形成され、前記鈎部を弾性変形により、前記ネック部が前記ホルダ部に嵌合可能に構成された請求項１に記載のホットシューアダプタの補助アダプタ。
【請求項４】
前記側片は、先端部が円弧となっているループ状の枠体であり、該枠体は前記雌コネクタが含まれる長孔を形成する請求項２又は請求項３に記載のホットシューアダプタの補助アダプタ。
【請求項５】
前記側片は板形状であり、該側片に前記雄コネクタと前記雌コネクタとの連結を可能とする逃げ孔が形成された請求項２又は請求項３に記載のホットシューアダプタの補助アダプタ。
【請求項６】
前記枠部は４つの側片が矩形に連結された形状であり、１つの側片に前記雄コネクタと前記雌コネクタとの連結を可能とする逃げ孔が形成された請求項２又は請求項３に記載のホットシューアダプタの補助アダプタ。
【請求項７】
前記枠部は４つの側片が矩形に連結された形状であり、該枠部の上面に天井片が設けられ、前記枠部、前記天井片により下面が開放された箱体が形成され、１つの側片に前記雄コネクタと前記雌コネクタとの連結を可能とする逃げ孔が形成された請求項２又は請求項３に記載のホットシューアダプタの補助アダプタ。
【発明の詳細な説明】
【技術分野】
【０００１】
本発明は、カメラに装着されるホットシューアダプタの補助アダプタに関するものである。
【背景技術】
【０００２】
デジタルカメラの発展、普及に伴い、高精度の画像データを容易に且つ大量に取得可能となっている。更に、画像データの利用が進み、例えば、無人移動体にカメラを搭載し、連続画像を取得し、広範囲に亘る写真測量を行う場合、レーザスキャナで取得した点群データと画像との関連付けを行う場合等、画像データの利用が促進されている。
【０００３】
デジタルカメラで遠隔操作で写真撮影を行う場合に、デジタルカメラにシャッタ駆動信号を入力し、更にカメラが実際に画像を取得した際のシャッタタイミング信号を抽出する信号入出力用のアダプタがホットシューに装着される。
【０００４】
信号入出力用のホットシューアダプタとしては、市販のホットシューアダプタが使用可能であり、この場合、デジタルカメラの撮影を制御する制御装置と、ホットシューアダプタとの連結は市販のケーブルが用いられ、このケーブルを介して信号の授受が行われている。
【０００５】
市販のケーブルには、ホットシューアダプタと連結可能なコネクタが装備されており、ケーブルとホットシューアダプタとの接続は、コネクタをホットシューアダプタのコネクタに挿入することで可能となっている。
【０００６】
一方、画像取得の為カメラが搭載される移動体としては、ＵＡＶ（無人飛行体）、自動車、建設機械、農業機械等が挙げられ、これら移動体は移動、作業に伴い様々な振動を発する。この為、作業中ケーブルのコネクタがホットシューアダプタから外れる場合が発生する。
【０００７】
又、ホットシューアダプタから抽出されたシャッタタイミング信号は、画像取得時間、画像取得時の位置情報等と関連付けられ、画像取得位置を特定する為の重要な信号となっている。
【０００８】
この為、ケーブルのコネクタがアダプタから外れた場合には、画像の取得位置が特定できず、取得した画像データ、及び関連するデータが無駄になってしまう。
【発明の概要】
【発明が解決しようとする課題】
【０００９】
本発明は、市販のアダプタ、ケーブルを使用しつつ、アダプタとケーブルとの連結を確実にする補助アダプタを提供するものである。
【課題を解決するための手段】
【００１０】
本発明は、ホットシューアダプタに装着される補助アダプタであって、該補助アダプタは、前記ホットシューアダプタに嵌合する枠部と、前記ホットシューアダプタの雌コネクタが設けられた側面に密着する側片と、該側片に設けられ、ケーブルの雄コネクタのネック部が嵌合可能なホルダ部を有する鈎部と、前記側面に形成されたコネクタ接続用孔とを有し、前記雄コネクタと前記雌コネクタとを連結後、前記雄コネクタを回転することで前記ネック部が前記ホルダ部に嵌合する様構成されたホットシューアダプタの補助アダプタに係るものである。
【００１１】
又本発明は、前記鈎部は、前記側片の基部下縁から水平に突出し、湾曲部を経て上方に立上がり、更に前記側片と平行に延出する形状を有し、前記鈎部の延出する部分の前記側片と対峙する面には、回り止が形成され、前記延出する部分は、前記雄コネクタが回転される際の前記ネック部の案内をし、前記回り止は前記ネック部の回転戻りを抑止する様構成されたホットシューアダプタの補助アダプタに係るものである。
【００１２】
又本発明は、前記鈎部はＵ字筒状であり、前記側片の基部下縁に設けられ、前記鈎部の先端部は、前記側片から離反し、前記鈎部の先端部と前記側片との間には隙間が形成され、前記鈎部を弾性変形により、前記ネック部が前記ホルダ部に嵌合可能に構成されたホットシューアダプタの補助アダプタに係るものである。
【００１３】
又本発明は、前記側片は、先端部が円弧となっているループ状の枠体であり、該枠体は前記雌コネクタが含まれる長孔を形成するホットシューアダプタの補助アダプタに係るものである。
【００１４】
又本発明は、前記側片は板形状であり、該側片に前記雄コネクタと前記雌コネクタとの連結を可能とする逃げ孔が形成されたホットシューアダプタの補助アダプタに係るものである。
【００１５】
又本発明は、前記枠部は４つの側片が矩形に連結された形状であり、１つの側片に前記雄コネクタと前記雌コネクタとの連結を可能とする逃げ孔が形成されたホットシューアダプタの補助アダプタに係るものである。
【００１６】
更に又本発明は、前記枠部は４つの側片が矩形に連結された形状であり、該枠部の上面に天井片が設けられ、前記枠部、前記天井片により下面が開放された箱体が形成され、１つの側片に前記雄コネクタと前記雌コネクタとの連結を可能とする逃げ孔が形成されたホットシューアダプタの補助アダプタに係るものである。
【発明の効果】
【００１７】
本発明によれば、ホットシューアダプタに装着される補助アダプタであって、該補助アダプタは、前記ホットシューアダプタに嵌合する枠部と、前記ホットシューアダプタの雌コネクタが設けられた側面に密着する側片と、該側片に設けられ、ケーブルの雄コネクタのネック部が嵌合可能なホルダ部を有する鈎部と、前記側面に形成されたコネクタ接続用孔とを有し、前記雄コネクタと前記雌コネクタとを連結後、前記雄コネクタを回転することで前記ネック部が前記ホルダ部に嵌合する様構成されたので、前記補助アダプタが連結状態の前記雄コネクタの抜脱を抑止し、ホットシューが振動した場合でも雄コネクタがホットシューアダプタから外れることが防止されるという優れた効果を発揮する。
【図面の簡単な説明】
【００１８】
【図１】本発明の第１の実施例に係る補助アダプタが適用されたホットシューアダプタがカメラに装着された状態の斜視図である。
【図２】ホットシューアダプタ、補助アダプタ、ケーブルが分離した状態の斜視図である。
【図３】補助アダプタの図２中のＡ矢視図である。
【図４】補助アダプタが装着されたホットシューアダプタにケーブルを接続する場合の斜視図である。
【図５】補助アダプタが装着されたホットシューアダプタにケーブルを接続した状態の斜視図である。
【図６】本発明の第２の実施例に係る補助アダプタが装着されたホットシューアダプタにケーブルを接続する場合の斜視図である。
【図７】本発明の第３の実施例に係る補助アダプタが装着されたホットシューアダプタにケーブルを接続する場合の斜視図である。
【図８】本発明の第４の実施例に係る補助アダプタが装着されたホットシューアダプタにケーブルを接続する場合の斜視図である。
【発明を実施するための形態】
【００１９】
以下、図面を参照しつつ本発明の実施例を説明する。
【００２０】
図１は、カメラ１にホットシューアダプタ２が装着され、該ホットシューアダプタ２に本実施例の補助アダプタ３が実装された状態を示している。尚、図１に於いて、前記カメラ１のレンズ側を前面とする。尚、前記ホットシューアダプタ２は、市販のホットシューアダプタでもよく、或はカメラ１のホットシューに適合する様に特別に製作されたホットシューアダプタでもよい。
【００２１】
尚、前記カメラ１には、前記カメラ１の位置測定用のプリズム４が設けられている。又、前記ホットシューアダプタ２にはケーブル５が接続されている。
【００２２】
図２、図３を参照し、更に説明する。
【００２３】
前記ホットシューアダプタ２はホットシュー６に装着された時に、該ホットシュー６に設けられた接点（図示せず）と接続可能な接点（図示せず）を有し、更に前記ホットシューアダプタ２の側面には入出力用の雌コネクタ７を有している。更に、前記ホットシューアダプタ２の上面には、シュー８を有し、カメラのアクセサリが実装可能となっている。
【００２４】
前記補助アダプタ３について説明する。
【００２５】
前記補助アダプタ３は合成樹脂製であり、好ましくは適宜な弾性を有する硬質樹脂であり、例えばポリプロピレン（ＰＰ）、ポリエチレン（ＰＥ）である。前記補助アダプタ３は、前記ホットシューアダプタ２の背面部に嵌合可能な枠部１１と該枠部１１に対して垂直であり、且つ水平方向に前面側に延出する嵌合舌辺１２を有する。
【００２６】
該嵌合舌辺１２は前記ホットシューアダプタ２のシュー８に嵌合可能であり、嵌合舌辺１２が前記シュー８に嵌合した状態で、更に前記枠部１１が前記ホットシューアダプタ２に嵌合し、前記補助アダプタ３は前記ホットシューアダプタ２に密着状態で装着される。
【００２７】
前記補助アダプタ３は、前記枠部１１より前記ホットシューアダプタ２の側面に沿って前方に延出する側片１３を有する。該側片１３は、先端部１３ａが円弧となっているループ状の枠体であり、該枠体は前記雌コネクタ７が含まれる長孔を形成し、該枠体の該先端部１３ａは前記雌コネクタ７の突出部分７ａに嵌合する。前記先端部１３ａが前記突出部分７ａに嵌合することで、前記補助アダプタ３が前記ホットシューアダプタ２から離反することを抑止する。従って、前記側片１３は前記補助アダプタ３の抜け止部材として機能する。
【００２８】
前記補助アダプタ３は、更にケーブルの抜けを抑止する鈎部１４を有する。該鈎部１４は、前記側片１３の基部下縁から水平に突出し、湾曲部を経て上方に立上がり、更に前記側片１３と平行に延出する形状を有している。
【００２９】
前記鈎部１４の水平に突出する部分、湾曲部、立上がり部は前記ケーブル５の雄コネクタ１５を保持するホルダ部１４ａを構成する。
【００３０】
又、前記鈎部１４の平行に延出する部分は、棒形状を有し、前記ケーブル５を連結する際の案内部１４ｂを構成する。該案内部１４ｂの前記側片１３と対峙する面（内面）には、回り止１４ｃが形成されている。該回り止１４ｃは、前記案内部１４ｂの先端から基部に向ってテーパ状に隆起し、テーパの終端で直角に立ち下がる形状を有している。
【００３１】
又、図３に見られる様に、前記鈎部１４は、前記ケーブル５の雄コネクタ１５を前記雌コネクタ７に挿脱する際に前記雄コネクタ１５と干渉しない様に、前記雄コネクタ１５の挿脱経路から外れた形状をしている。
【００３２】
次に、図２、図３、図４を参照して、本実施例の作用について説明する。
【００３３】
図２、図３、図４は、前記ホットシューアダプタ２をカメラ１から外した状態を示しているが、カメラ１に装着した状態でも同様に、実施可能である。
【００３４】
前記嵌合舌辺１２を前記シュー８に挿入し、完全に嵌合すると前記先端部１３ａが前記突出部分７ａを乗越えて、前記先端部１３ａと前記突出部分７ａが嵌合する。この状態で、前記補助アダプタ３の前記ホットシューアダプタ２への装着が完了する。前記先端部１３ａと前記突出部分７ａの嵌合により、前記ホットシューアダプタ２が前記補助アダプタ３から外れることが抑制される。
【００３５】
前記雄コネクタ１５を前記雌コネクタ７に挿入し、完全に挿入された状態で、前記雄コネクタ１５を図４中、時計方向に回転させる。該雄コネクタ１５の回転によりコネクタのネック部１５ａが側片１３と前記鈎部１４との間に進入する。前記雄コネクタ１５は前記鈎部１４に案内され回転する。更に、前記ネック部１５ａは前記鈎部１４の弾性変形により、前記回り止１４ｃを乗越え、前記ネック部１５ａが前記ホルダ部１４ａに保持される。又、該ホルダ部１４ａの内寸を前記ネック部１５ａの外寸より若干小さくし、前記鈎部１４の弾性で前記ネック部１５ａに嵌合状態での保持力を与える様にしてもよい。更に、前記ネック部１５ａが前記ホルダ部１４ａから外れた場合に、前記回り止１４ｃは前記ネック部１５ａの回転戻り（逆方向の回転）により、前記ネック部１５ａが前記案内部１４ｂから外れない様にしている。
【００３６】
図５に示される様に、前記ケーブル５を接続した状態では、前記雄コネクタ１５と前記雌コネクタ７の連結により、前記補助アダプタ３は完全に前記ホットシューアダプタ２から外れることはなくなり、更に前記雄コネクタ１５の軸心方向の変位（該雄コネクタ１５が前記雌コネクタ７から外れる方向の変位）は、前記鈎部１４により抑止されるので、ホットシューアダプタ２に振動が作用した場合でも、前記ケーブル５が前記ホットシューアダプタ２から外れることがなくなる。
【００３７】
又、振動等により前記ケーブル５、前記雄コネクタ１５に回転力が作用した場合、前記回り止１４ｃにより回転が抑止される。
【００３８】
図６は、本発明の第２の実施例を示している。図６中、図４中に示したものと同等のものには同符号を付してある。
【００３９】
枠部１１から延出する側片１３を板形に形成し、該側片１３に前記雌コネクタ７を露出させる逃げ孔１３ｂが形成され、該逃げ孔１３ｂは雄コネクタ１５と雌コネクタ７との連結を可能とする。又、前記側片１３の基部下縁にはＵ字筒状の鈎部１４を形成する。該鈎部１４はホルダ部１４ａを兼ねるものであり、該ホルダ部１４ａにはネック部１５ａが嵌合し、前記ホルダ部１４ａによって前記ネック部１５ａが保持される。
【００４０】
前記鈎部１４は前記側片１３から垂直に立上がり、Ｕ字状に屈曲したものであり、前記鈎部１４の先端部は、前記側片１３から離反しており、前記鈎部１４の先端部と前記側片１３との間には隙間１４ｄが形成される。該隙間１４ｄの寸法ａは、前記ネック部１５ａの外径より僅かに小さくなっており、前記鈎部１４を弾性変形させることで、前記ネック部１５ａが前記隙間１４ｄを通過し、前記ネック部１５ａが前記ホルダ部１４ａに嵌合する様になっている。又、前記鈎部１４の先端面は、前記ネック部１５ａが前記隙間を通過し易い様にテーパ面となっている。
【００４１】
前記ケーブル５の前記ホットシューアダプタ２への接続は上記実施例と同様に、補助アダプタ３を前記ホットシューアダプタ２に装着した状態で、前記雄コネクタ１５を前記雌コネクタ７に挿入し、更に前記雄コネクタ１５を時計方向に回転し、前記ネック部１５ａを前記ホルダ部１４ａに嵌合させればよい。前記ネック部１５ａが前記ホルダ部１４ａに嵌合した状態では、前記ネック部１５ａの抜脱方向の変位が前記ホルダ部１４ａによって規制される。
【００４２】
図７は、第３の実施例を示している。
【００４３】
第３の実施例では、補助アダプタ３の枠部１１が前記ホットシューアダプタ２の４側面に上方から嵌合する形状となっている。
【００４４】
前記枠部１１は、前記４側面にそれぞれ密着する４つの側片が矩形に連結された形状である。前記４側面の内、１つの側片（ホットシューアダプタ２の雌コネクタ７が設けられている面と嵌合する側片１３）には、逃げ孔１３ｂが形成される。該逃げ孔１３ｂは前記補助アダプタ３を前記ホットシューアダプタ２に装着した状態で前記雌コネクタ７と同心となる様に設定している。前記逃げ孔１３ｂを通して雄コネクタ１５が雌コネクタ７に嵌脱する。
【００４５】
又、前記逃げ孔１３ｂが形成されている側片１３には、Ｕ字筒状の鈎部１４が形成されている。該鈎部１４はホルダ部１４ａを兼ねるものであり、雄コネクタ１５が雌コネクタ７に連結された状態で、該ホルダ部１４ａにネック部１５ａが嵌合可能となっている。
【００４６】
又、前記鈎部１４の先端部は、前記側片１３から離反しており、前記鈎部１４の先端部と前記側片１３との間には隙間１４ｄが形成され、該隙間１４ｄの寸法ａは前記ネック部１５ａの外径より僅かに小さくなっている。又、前記隙間１４ｄは前記鈎部１４を弾性変形させることで、前記ネック部１５ａが通過可能となっている。又、前記鈎部１４の先端面は、第２の実施例と同様テーパ面となっている。
【００４７】
前記ケーブル５の前記ホットシューアダプタ２への接続は第２の実施例と同様に、補助アダプタ３を前記ホットシューアダプタ２に装着した状態で、前記雄コネクタ１５を前記雌コネクタ７に挿入し、更に前記雄コネクタ１５を時計方向に回転し、前記鈎部１４を弾性変形させ、前記ネック部１５ａを前記ホルダ部１４ａに嵌合させればよい。
【００４８】
図８は、第４の実施例を示している。図８中、図２〜図７中で示したものと同等のものには同符号を付し、その説明を省略する。
【００４９】
第４の実施例では、補助アダプタ３は下面が開放された箱形形状をしている。
【００５０】
矩形枠形状の枠部１１の上面には天井片１６が形成され、前記枠部１１と前記天井片１６によって下面が開放された箱体が形成される。該箱体は、ホットシューアダプタ２に上方から嵌合可能となっている。
【００５１】
前記枠部１１の１つの側片１３には逃げ孔１３ｂが形成され、前記補助アダプタ３が前記ホットシューアダプタ２に嵌合した状態で、雌コネクタ７と前記逃げ孔１３ｂとは同心になる様に設定されている。
【００５２】
前記逃げ孔１３ｂが形成された前記側片１３には第１の実施例で示したと同様の鈎部１４が形成されている。
【００５３】
該鈎部１４は、ホルダ部１４ａ、案内部１４ｂ、回り止１４ｃを有し、第１の実施例で説明した様に、前記雌コネクタ７に前記雄コネクタ１５が連結された状態で、前記鈎部１４は前記雄コネクタ１５を回転した際のネック部１５ａの案内をし、前記ホルダ部１４ａは前記雄コネクタ１５の保持をし、前記雄コネクタ１５の抜け止をする。又、前記回り止１４ｃは前記ネック部１５ａの回転戻りを防止する。
【００５４】
尚、第４の実施例に於いて、前記鈎部１４の代りに、第２の実施例、第３の実施例で示した鈎部１４を形成してもよい。
【００５５】
尚、本発明は上記実施例に限定されることなく、前記補助アダプタ３の形状については種々変更が可能であることは言う迄もない。
【符号の説明】
【００５６】
１              カメラ
２              ホットシューアダプタ
３              補助アダプタ
５              ケーブル
６              ホットシュー
７              雌コネクタ
８              シュー
１１            枠部
１２            嵌合舌辺
１３            側片
１３ａ          先端部
１４            鈎部
１４ａ          ホルダ部
１４ｂ          案内部
１５            雄コネクタ
【図１】
2020106663.tif 000003
【図２】
2020106663.tif 000004
【図３】
2020106663.tif 000005
【図４】
2020106663.tif 000006
【図５】
2020106663.tif 000007
【図６】
2020106663.tif 000008
【図７】
2020106663.tif 000009
【図８】
2020106663.tif 000010